(57)【要約】【課題】スペーサーに脱落せずに確実に取付け可能で、取付け作業性を向上させることができると共に、左右両側の鉄筋の固定に共用可能で、部品コストを低減できる法枠用型枠の鉄筋固定具を提供すること。【課題手段】鉄筋固定具１は、基板部１１と、鉄筋支持板部１２とからなり、基板部１１は、鉄筋支持板部１２に連続する中間片部１１１と、その中間片部１１１に対し折り返されて連続する先端片部１１２とから構成され、中間片部１１１には、スペーサー３の横棒３２を通す貫通孔１１１ａを設けると共に、先端片部１１２には、スペーサー３の横棒３２の直径のほぼ２倍の横幅を有する先端側開放でスペーサー３の横棒３２を押える１つの凹部１１２ａを設け、中間片部１１１と先端片部１１２との間の折返し部１１３には、スペーサー３の縦棒３１が中間片部１１１等の幅方向の一方から挿入されて嵌る一端開放溝部１１３ａを形成する。【選択図】図３
2014125732.tif 000002
【特許請求の範囲】
【請求項１】
所定間隔を開けて対向する法枠用型枠の金網間に縦棒と横棒とを井桁状に組んだスペーサーを配設すると共に、そのスペーサーの縦棒と横棒との各交点に金網の長手方向に延びる鉄筋をそれぞれ配設する法枠用型枠の鉄筋固定具であって、
スペーサーの縦棒と横棒の交点部に装着される基板部と、その基板部と連続しスペーサーの縦棒との間で鉄筋を支持する鉄筋支持板部とからなり、
基板部は、鉄筋支持板部に連続する中間片部と、その中間片部に対し折り返されて連続する先端片部とから構成され、中間片部の幅方向の中央には、その中央に対し両側のどちらか一方側でスペーサーの横棒を通す貫通孔が設けられていると共に、先端片部の先端には、その幅方向の中央にスペーサーの横棒の直径のほぼ２倍の横幅を有する先端側開放の１つの凹部が設けられており、中間片部と先端片部との間の折返し部には、スペーサーの縦棒が中間片部および先端片部の幅方向の一方から挿入されて嵌るように、一端開放で、かつ、その幅方向の中央まで延びる一端開放溝部が形成されていることを特徴とする法枠用型枠の鉄筋固定具。
【請求項２】
請求項１記載の法枠用型枠の鉄筋固定具において、
貫通孔は、その横棒の直径のほぼ２倍の横幅を有する横長で、かつ、その幅方向の中央に対し両側でスペーサーの横棒をそれぞれ位置決めして貫通させるようにその幅方向の中央部分の上下間隔をスペーサーの横棒の直径より小さく形成した形状であることを特徴とする法枠用型枠の鉄筋固定具。
【請求項３】
請求項１または請求項２記載の法枠用型枠の鉄筋固定具において、
一端開放溝部は、折返し部の幅方向の中央でスペーサーの縦棒が嵌り、かつ、その幅方向にズレないようにそれぞれ中間片部側と先端片部側とをそれぞれほぼ半円形状に形成した縦棒支持部と、その縦棒支持部から一端開放側に向かうに従って一端開放溝部の間隔が広がるように形成した縦棒案内部とを有することを特徴とする法枠用型枠の鉄筋固定具。
【発明の詳細な説明】
【技術分野】
【０００１】
本発明は、所定間隔を開けて対向する法枠用型枠の金網間に縦棒と横棒とを井桁状に組んだスペーサー（フープタイともいう。）を配設すると共に、そのスペーサーの縦棒と横棒との各交点に金網の長手方向に延びる鉄筋をそれぞれ配設する法枠用型枠の鉄筋固定具に関する。
【背景技術】
【０００２】
従来の法枠用型枠の鉄筋固定具として、例えば、横棒上に位置し縦棒を上下に通過させる貫通穴を有するプレート部と、プレート部の一方端部分から立ち上がり鉄筋を交差部に向かって弾性的に押し付けて支持する弾性支持部と、横棒を横から抱えるようにプレート部に連結された横抱え部とを有するものがある（例えば、特許文献１参照。）。
【先行技術文献】
【特許文献】
【０００３】
【特許文献１】特許第３８８１３２８号公報
【発明の概要】
【発明が解決しようとする課題】
【０００４】
しかし、前記特許文献１に記載の鉄筋固定具は、スペーサーの横棒を孔に貫通させて取付けるのではなく、一端開放形状の横抱え部がスペーサーの横棒を抱えることにより取付けていたため、横抱え部がスペーサーの横棒から外れると、この金具自体が自由に回転してしまい、鉄筋の取付け作業に悪影響を与えるという問題がある。特に、この鉄筋固定具では、横抱え部の開口側が広がったり、横抱え部の内側面に形成した切起こし部が倒れると、横抱え部からスペーサーの横棒が外れ易かった。そのため、この特許文献１の図５等に示すように、この金具を下側の鉄筋の固定に使用した場合に、横抱え部からスペーサーの横棒が外れると、この金具自体がスペーサーから脱落して、鉄筋の取付け作業に悪影響を与える。
【０００５】
また、スペーサーは、縦棒の一方側に横棒を溶接した構成であることから、横棒の両側からそれぞれ横棒の中心方向を見ると、各々の縦棒が横棒の左右逆側に取付けられることになるが、前記特許文献１に記載の鉄筋固定具では、縦棒を通す貫通孔等が横抱え部の中央に対し対称的に設けられていないため、１つの鉄筋固定具を左右の鉄筋の固定に共用できず、部品コストがかかるという問題もある。
【０００６】
そこで、本発明は、このような問題点に着目してなされたもので、スペーサーに脱落せずに確実に取付け可能で、取付け作業性を向上させることができると共に、左右両側の鉄筋の固定に共用可能で、部品コストを低減できる法枠用型枠の鉄筋固定具を提供することを目的とする。
【課題を解決するための手段】
【０００７】
上記目的を達成するため、本発明に係る法枠用型枠の鉄筋固定具は、所定間隔を開けて対向する法枠用型枠の金網間に縦棒と横棒とを井桁状に組んだスペーサーを配設すると共に、そのスペーサーの縦棒と横棒との各交点に金網の長手方向に延びる鉄筋をそれぞれ配設する法枠用型枠の鉄筋固定具であって、スペーサーの縦棒と横棒の交点部に装着される基板部と、その基板部と連続しスペーサーの縦棒との間で鉄筋を支持する鉄筋支持板部とからなり、基板部は、鉄筋支持板部に連続する中間片部と、その中間片部に対し折り返されて連続する先端片部とから構成され、中間片部の幅方向の中央には、その中央に対し両側のどちらか一方側でスペーサーの横棒を通す貫通孔が設けられていると共に、先端片部の先端には、その幅方向の中央にスペーサーの横棒の直径のほぼ２倍の横幅を有する先端側開放の１つの凹部が設けられており、中間片部と先端片部との間の折返し部には、スペーサーの縦棒が中間片部および先端片部の幅方向の一方から挿入されて嵌るように、一端開放で、かつ、その幅方向の中央まで延びる一端開放溝部が形成されていることを特徴とする。
ここで、上記鉄筋固定具において、貫通孔は、その横棒の直径のほぼ２倍の横幅を有する横長で、かつ、その幅方向の中央に対し両側でスペーサーの横棒をそれぞれ位置決めして貫通させるようにその幅方向の中央部分の上下間隔をスペーサーの横棒の直径より小さく形成した形状であるようにすると良い。
また、上記法枠用型枠の鉄筋固定具において、一端開放溝部は、折返し部の幅方向の中央でスペーサーの縦棒が嵌り、かつ、その幅方向にズレないようにそれぞれ中間片部側と先端片部側とをそれぞれほぼ半円形状に形成した縦棒支持部と、その縦棒支持部から一端開放側に向かうに従って一端開放溝部の間隔が広がるように形成した縦棒案内部とを有するようにするとさらに良い。
【発明の効果】
【０００８】
本発明に係る法枠用型枠の鉄筋固定具では、中間片部の貫通孔にスペーサーの横棒を貫通させてスペーサーに取付けているため、この金具をスペーサーの下側の横棒に取付けた場合でも、脱落せずに確実に取付けることができ、取付け作業性を向上させることができる。また、この貫通孔は、中間片部の幅方向の中央に対し左右両側のどちらか一方側でスペーサーの横棒を貫通させるように設けられているため、この鉄筋固定具をスペーサーの横棒の両側から挿入して左右両側の鉄筋の固定に共用でき、部品コストを低減できる。
【図面の簡単な説明】
【０００９】
【図１】本発明に係る鉄筋固定具の使用状態の一例を示す平面図である。
【図２】本発明に係る鉄筋固定具の使用状態の一例を示す正面図である。
【図３】本発明に係る鉄筋固定具の斜視図である。
【図４】（ａ）〜（ｃ）それぞれ、鉄筋固定具の左側面図、正面図、平面図である。
【図５】（ａ），（ｂ）それぞれ、鉄筋固定具の右側面図、Ａ−Ａ線断面図である。
【図６】スペーサーの左右両側から鉄筋固定具を挿入した状態を示す正面図である。
【図７】（ａ）〜（ｃ）それぞれ、一端開放溝部にスペーサーの縦棒を嵌める前の状態を示す正面図、Ｂ方向矢視図、Ｃ方向矢視図である。
【図８】（ａ）〜（ｄ）それぞれ、一端開放溝部の縦棒支持部にスペーサーの縦棒を嵌めた状態を示す平面図、正面図、Ｄ方向矢視図、Ｅ方向矢視図である。
【図９】（ａ），（ｂ）それぞれ、スペーサーの左右両側に装着した鉄筋固定具に鉄筋を固定した状態を示す平面図、正面図である。
【発明を実施するための形態】
【００１０】
次に、本発明に係る実施形態１の法枠用型枠の鉄筋固定具１について図面を参照して説明する。
【００１１】
図１および図２に示すように、この鉄筋固定具１は、所定間隔を開けて対向する法枠用型枠の金網２，２間に縦棒３１と横棒３２とを井桁状に組んだスペーサー３を配設すると共に、そのスペーサー３の縦棒３１と横棒３２との交点部に装着して、金網２，２の長手方向に延びる鉄筋４を支持する金具である。従って、この鉄筋固定具１は、スペーサー３毎に４個、すなわち２本の縦棒３１と２本の横棒３２との４つの交点部にそれぞれ装着して４本の鉄筋４を支持する。
【００１２】
この鉄筋固定具１は、図３〜図５に示すように、スペーサー３の縦棒３１と横棒３２の交点部に装着される基板部１１と、その基板部１１と連続しスペーサー３の縦棒３１との間で鉄筋４を弾性的に挟持して支持する鉄筋支持板部１２とからなる。
【００１３】
基板部１１は、図３〜図５に示すように、鉄筋支持板部１２に連続する中間片部１１１と、その中間片部１１１に対しＶ字状またはＵ字状に折り返されて連続する先端片部１１２と、中間片部１１１と先端片部１１２との間の折返し部１１３とから構成される。
【００１４】
中間片部１１１の上部、すなわち鉄筋支持板部１２との境界部分には、その幅方向の中央に対し両側のどちらか一方側でスペーサー３の横棒３２を通す貫通孔１１１ａを設けている。貫通孔１１１ａは、その幅方向の中央に対し両側でスペーサー３の横棒３２をそれぞれ位置決めして横ズレさせずに貫通させるように、スペーサー３の横棒３２の直径のほぼ２倍の横幅を有する横長で、かつ、その幅方向の中央部分の下側内縁のみ貫通孔１１１ａの中心方向に向けて突出させる一方、上側内縁は直線状に形成して、その中央部分の上下間隔をスペーサー３の横棒３２の直径より小さく形成している。
【００１５】
従って、この鉄筋固定具１では、中間片部１１１の貫通孔１１１ａにスペーサー３の横棒３２を貫通させてスペーサー３に取付けるため、特許文献１に記載の鉄筋固定具のようにスペーサーの横棒を抱えていた横抱え部が広がる等してスペーサーの横棒が外れることがなくなり、この金具１をスペーサー３の下側の横棒３２に取付けた場合でも、脱落せずに確実に取付けることができ、取付け作業性を向上させることができる。
【００１６】
また、スペーサー３は、図２等に示すように、縦棒３１の図上前面側に横棒３２を溶接した構成であることから、横棒３２の両側からそれぞれ横棒３２の中心方向を見ると、各々の縦棒３１が横棒３２の左右逆側に取付けられることになるが、貫通孔１１１ａは、中間片部１１１の幅方向の中央に対し左右両側のどちらか一方側でスペーサー３の横棒３２を貫通させるように横棒３２の直径のほぼ２倍の横幅を有する横長形状であるため、この鉄筋固定具１をスペーサー３の横棒３２の左右両側から挿入して装着できる。その結果、１つの鉄筋固定具１でも、後述する図９（ａ），（ｂ）に示すように、スペーサー３の左右両側に装着して鉄筋４を固定することが可能となり、部品コストを低減できる。また、この貫通孔１１１ａは、１つなので中間片部１１１の幅方向の中央に対し左右両側にそれぞれ横棒３２の直径の貫通孔を設ける場合よりも、孔開け加工が容易になると共に、スペーサー３の横棒３２の直径に多少の誤差があった場合でも、貫通孔１１１ａに横棒３２を容易に挿入することが可能となり、加工性および作業性が向上する。さらに、この貫通孔１１１ａは、その幅方向の中央部分の下側内縁を貫通孔１１１ａの中心方向に向けて突出させ、中央部分の上下間隔をスペーサー３の横棒３２の直径より小さくしているため、スペーサー３の横棒３２が位置決めされ横ズレしなくなり、鉄筋固定具１をより安定した状態でスペーサー３に取付けることが可能となる。
【００１７】
先端片部１１２の先端には、その幅方向の中央にスペーサー３の横棒３２の直径のほぼ２倍の横幅を有する先端側開放の凹部１１２ａを設け、凹部１１２ａの両側に先端側に突出した横棒引掛け部１１２ｂを設けている。そのため、各鉄筋固定具１を、後述する図７（ｂ）および図７（ｃ）に示す矢印の方向に９０度回転させる際、図７（ａ）〜（ｃ）に示すように先端片部１１２の凹部１１２ａの両側から突出した横棒引掛け部１１２ｂがスペーサー３の横棒３２に引掛かるため、各鉄筋固定具１を容易に回転させることができ、作業性が向上する。
【００１８】
また、中間片部１１１と先端片部１１２との間の折返し部１１３には、スペーサー３の縦棒３１が中間片部１１１および先端片部１１２の幅方向の一方から挿入されて嵌るように、一端開放で、かつ、その幅方向の中央まで延びる一端開放溝部１１３ａが形成されている。一端開放溝部１１３ａは、折返し部１１３の幅方向の中央でスペーサー３の縦棒３１が嵌り、かつ、ズレないようにそれぞれ中間片部１１１側と先端片部１１２側とをそれぞれほぼ半円形状に形成した縦棒支持部１１３ａ１と、その縦棒支持部１１３ａ１から一端開放側に向かうに従って一端開放溝部１１３ａの間隔が広がるように形成した縦棒案内部１１３ａ２とを有する。
【００１９】
従って、この鉄筋固定具１によれば、縦棒案内部１１３ａ２によってスペーサー３の縦棒３１を折返し部１１３の一端開放側から縦棒支持部１１３ａ１まで容易に案内できる共に、縦棒支持部１１３ａ１によってスペーサー３の縦棒３１を安定的に支持できるため、作業性および安定性が向上する。特に、この鉄筋固定具１では、後述する図８（ｂ）等に示すように、縦棒支持部１１３ａ１がスペーサー３の縦棒３１に支持される一方、スペーサー３の縦棒３１の前後で、それぞれ中間片部１１１の貫通孔１１１ａと先端片部１１２の凹部１１２ａとがスペーサー３の横棒３２に支持されるため、鉄筋固定具１全体では、３点でスペーサー３に支持されて取付けられることになり、この点でも、鉄筋固定具１をより安定した状態でスペーサー３に取付けることが可能となる。
【００２０】
一方、鉄筋支持板部１２は、上述したようにスペーサー３の縦棒３１との間で鉄筋４を弾性的に挟持して支持するもので、装着した鉄筋４が容易に抜け出さないように、鉄筋支持板部１２の一部を切り起こした鉄筋抜止め片部１２ａが設けられている。なお、鉄筋抜止め片部１２ａは、省略しても良い。
【００２１】
次に、以上のように構成した鉄筋固定具１を使用した鉄筋４の固定手順について説明する。
【００２２】
まず、図６に示すように、スペーサー３の横棒３２の左右両側からそれぞれ各鉄筋固定具１を、その中間片部１１１に設けられた貫通孔１１１ａをその横棒３２に挿入し、さらに、図７（ａ）〜（ｃ）に示すように、各鉄筋固定具１がスペーサー３の縦棒３１に当たるまでスペーサー３の横棒３２の軸方向に押し込み、折返し部１１３の一端開放溝部１１３ａと、スペーサー３の縦棒３１とを平行にさせる。なお、図７（ａ）〜（ｃ）に示す鉄筋固定具１の状態は、図６に示すその状態に対しスペーサー３の横棒３２の軸方向を中心に９０度回転させた状態である。なお、図７（ｂ）は、図７（ａ）において左側に装着した鉄筋固定具１をスペーサー３の横棒３２の中央からＢ矢視方向に見た側面図であり、図７（ｃ）は、その右側に装着した鉄筋固定具１をスペーサー３の横棒３２の中央からＣ矢視方向に見た側面図である。
【００２３】
そして、スペーサー３の横棒３２の中央から左右両側に装着した各鉄筋固定具１を、それぞれ、図７（ｂ）および図７（ｃ）に示す矢印の方向に９０度回転させると、各鉄筋固定具１において、スペーサー３の縦棒３１は、折返し部１１３の側面から一端開放溝部１１３ａの縦棒案内部１１３ａ２を通って縦棒支持部１１３ａ１まで案内されて、図８（ａ），（ｂ）に示すように縦棒支持部１１３ａ１に嵌ることになる。なお、図８（ｃ）は、図８（ｂ）において左側に装着した鉄筋固定具１をスペーサー３の横棒３２の中央からＤ矢視方向に見た側面図であり、図８（ｄ）は、その右側に装着した鉄筋固定具１をスペーサー３の横棒３２の中央からＥ矢視方向に見た側面図である。
【００２４】
スペーサー３の左右両側に鉄筋固定具１を取り付けた後は、横棒３２の両側に法枠用型枠の金網２（図１，図２参照。）を取付ける。これにより、貫通孔１１１ａに横棒３２を貫通させて鉄筋固定具１をスペーサー３に取付けるだけでなく、スペーサー３の横棒３２の両側に金網２を取付けるため、鉄筋固定具１がスペーサー３から脱落することを確実に防止できる。
【００２５】
そして、現場では、図９（ａ），（ｂ）に示すように、鉄筋固定具１の鉄筋支持板部１２とスペーサー３の縦棒３１との間で鉄筋４を挟持して固定して、法面に法枠用型枠を構築する。その際、図９（ａ），（ｂ）に示すように、鉄筋支持板部１２の鉄筋抜止め片部１２ａによっても、鉄筋４の抜止めを図っている。
【００２６】
なお、上記の説明では、貫通孔１１１ａは、図３や、図４（ａ），（ｃ）、図５（ａ）等に示すように、スペーサー３の横棒３２の直径のほぼ２倍の横幅を有する横長で、かつ、その幅方向の中央部分の下側内縁のみ貫通孔１１１ａの中心方向に突出させる一方、上側内縁は直線状に形成して、その中央部分の上下間隔をスペーサー３の横棒３２の直径より小さく形成して説明したが、本発明では、これに限らず、この鉄筋固定具１をスペーサー３の横棒３２の左右両側から挿入しても使用できるように、中間片部１１１の幅方向の中央に対し左右両側でスペーサー３の横棒３２を貫通させる貫通孔が形成されていれば十分である。例えば、貫通孔１１１ａの幅方向の中央部分の下側内縁および上側内縁の双方を貫通孔１１１ａの中心方向に突出させた瓢箪（ひょうたん）型に形成したり、あるいは単にスペーサー３の横棒３２の直径のほぼ２倍の横幅を有する横長孔にして、その幅方向の中央部分の上下内縁は貫通孔１１１ａの中心方向に突出させないようにしても良いし、さらには、スペーサー３の横棒３２が通る貫通孔を幅方向に独立して２つ設けても良い。
【符号の説明】
【００２７】
１…鉄筋固定具、１１…基板部、１１１…中間片部、１１１ａ…貫通孔、１１２…先端片部、１１２ａ…凹部、１１２ｂ…横棒引掛け部、１１３…折返し部、１１３ａ…一端開放溝部、１１３ａ１…縦棒支持部、１１３ａ２…縦棒案内部、１２…鉄筋支持板部、２…金網、３…スペーサー、３１…縦棒、３２…横棒、４…鉄筋。
【図１】
2014125732.tif 000003
【図２】
2014125732.tif 000004
【図３】
2014125732.tif 000005
【図４】
2014125732.tif 000006
【図５】
2014125732.tif 000007
【図６】
2014125732.tif 000008
【図７】
2014125732.tif 000009
【図８】
2014125732.tif 000010
【図９】
2014125732.tif 000011